(57)【要約】【課題】プレビュー動画を再生することで、的確に映像コンテンツの内容を把握できる映像コンテンツ選択装置を提供する。【解決手段】映像コンテンツ選択装置は、放送経由で映像コンテンツを受信する選局回路と、蓄積メディアにある映像コンテンツを再生する再生部と、ＩＰ経由で映像コンテンツを取得するイーサ回路と、選局回路、再生部またはイーサ回路で取得された映像コンテンツからサムネイルを生成し、プレビュー動画を生成する制御部と、カテゴリ選択バー及びコンテンツ選択バーからなる画面を表示する表示部と、を備え、カテゴリ選択バーは、映像コンテンツをシームレスに分類した複数のアイコンから構成され、コンテンツ選択バーは、アイコンが示すカテゴリに属する映像コンテンツをサムネイルで表示し、制御部は、コンテンツ選択バーで所定の映像コンテンツを選択フォーカスした場合、サムネイルの表示に替えてプレビュー動画を表示部に表示させる。【選択図】図１
2013026700.tif 000002
【特許請求の範囲】
【請求項１】
放送経由で映像コンテンツを受信する少なくとも１以上の選局回路と、
蓄積メディアに記録された映像コンテンツを再生する蓄積メディア再生部と、
インターネット経由で映像コンテンツを取得するイーサ制御回路と、
前記選局回路、前記蓄積メディア再生部または前記イーサ制御回路から入力された映像コンテンツからサムネイルを生成させるとともにプレビュー動画を生成させる制御部と、
カテゴリ選択バー及びコンテンツ選択バーからなる映像コンテンツ選択画面を表示する表示部と、を備え、
前記カテゴリ選択バーは、前記放送経由、前記蓄積メディア、及び前記インターネット経由で取得された映像コンテンツをシームレスにジャンルまたはキーワードで分類した複数のアイコンから構成され、
前記コンテンツ選択バーは、前記アイコンが示すカテゴリに属する少なくとも１以上の映像コンテンツをサムネイルで表示し、
前記制御部は、前記コンテンツ選択バーにおいて所定の映像コンテンツを選択フォーカスした場合、前記サムネイルの表示に替えて前記プレビュー動画を前記表示部に表示させる、ことを特徴とする映像コンテンツ選択装置。
【請求項２】
第２表示部を有するモバイル機器と無線通信を行う無線通信回路と、を更に備え、
前記制御部は、前記コンテンツ選択バーにおいて所定の映像コンテンツを選択フォーカスした場合、前記無線通信回路を介して前記プレビュー動画を前記モバイル機器に送信し、前記第２表示部に表示させる、ことを特徴とする請求項１に記載の映像コンテンツ選択装置。
【請求項３】
放送経由で映像コンテンツを受信する第１のステップと、
蓄積メディアに記録された映像コンテンツを再生する第２のステップと、
インターネット経由で映像コンテンツを取得する第３のステップと、
前記第１のステップ、前記第２のステップまたは前記第３のステップが入力した映像コンテンツからサムネイルを生成する生成ステップと、
カテゴリ選択バー及びコンテンツ選択バーからなる映像コンテンツ選択画面を表示する選択画面表示ステップと、
前記コンテンツ選択バーにおいて所定の映像コンテンツを選択フォーカスした場合、サムネイルの表示に替えてプレビュー動画を表示するプレビュー動画表示ステップと、
を有し、
前記カテゴリ選択バーは、前記放送経由、前記蓄積メディア、及び前記インターネット経由で取得された映像コンテンツをシームレスにジャンルまたはキーワードで分類した複数のアイコンから構成され、
前記コンテンツ選択バーは、前記アイコンが示すカテゴリに属する少なくとも１以上の映像コンテンツをサムネイルで表示する、ことを特徴とする映像コンテンツ選択方法。
【請求項４】
第２表示部を有するモバイル機器と無線通信を行う無線通信ステップと、を更に備え、
前記プレビュー動画表示ステップは、前記コンテンツ選択バーにおいて所定の映像コンテンツを選択フォーカスした場合、前記無線通信ステップに対して、前記プレビュー動画を前記モバイル機器に送信させ前記第２表示部に表示させる、ことを特徴とする請求項３に記載の映像コンテンツ選択方法。
【発明の詳細な説明】
【技術分野】
【０００１】
本発明は、映像コンテンツ選択装置及び映像コンテンツ選択方法に関し、更に詳しくは、映像コンテンツのプレビュー動画を再生することにより、的確に映像コンテンツの内容を把握することが可能な映像コンテンツ選択装置及び映像コンテンツ選択方法に関する。
【背景技術】
【０００２】
従来、リモコンのＧＵＩ呼び出し用のボタン等を押下することにより、いくつかのアイコンやサムネイル表示を行い、表示されたサムネイルを選択することで、選択されたサムネイルに対応した映像コンテンツを選択する記録再生装置が実用化されている（例えば、特許文献１参照）。
【０００３】
上記記録再生装置では、映像コンテンツを代表するサムネイルを選択すること、また映像コンテンツの形態やソースによってカテゴライズされていることが一般的である。テレビジョン受像機に応用された一般的な記録再生装置の動作の一例を、図５を用いて説明する。図５は、従来の記録再生装置の表示画面の例を示す図である。
【０００４】
記録再生装置は、コンテンツ選択画面５００上において、各映像コンテンツを分類したカテゴリを表現したアイコン５１１乃至アイコン５１６から成るカテゴリ選択バー５１０を横方向に表示し、またカテゴリ選択バー５１０で選択中のカテゴリに属する映像コンテンツの代表サムネイル５２１乃至代表サムネイル５２４から成るコンテンツ選択バー５２０を、選択中のカテゴリを現すアイコン５１２を交点として縦方向に表示する。コンテンツ選択バー５２０上で選択フォーカス５３０が特定の映像コンテンツの代表サムネイル５２２に合わされて選択されると、代表サムネイル５２２があらわす映像コンテンツを選択して再生する。
【先行技術文献】
【特許文献】
【０００５】
【特許文献１】特開２００７−１３４０１０号公報
【発明の概要】
【発明が解決しようとする課題】
【０００６】
上記従来の記録再生装置によると、映像コンテンツを代表するサムネイルだけの情報でコンテンツを選択する必要があるが、この代表するサムネイルが映像コンテンツを的確に表現しているとは限らないという問題があった。例えば、映像コンテンツの種別がテレビジョン放送形態およびテレビジョン放送を録画した形態の場合、番組開始前のサムネイルであることや、ＣＭ中のサムネイルであることが考えられる。
【０００７】
また、上記従来の記録再生装置では、カテゴリの分類の仕方は静止画ファイル、音楽ファイル、動画ファイル等のコンテンツ形態であったり、テレビジョン放送形態の場合は地上デジタル、ＢＳ、ＣＳなどの放送ネットワークごとに分類されていて、何か特定のジャンル、例えばスポーツに関係するコンテンツを見たいといった時に、カテゴリ毎にスポーツコンテンツを探す必要があるという問題もあった。
【０００８】
更に、表示画面上で小さくサムネイルを表示しても視聴距離によっては見づらいという問題もあった。
【０００９】
本発明は、上記課題を解決するためになされたものであって、選択フォーカスしている映像コンテンツを表示画面上にてプレビュー動画で表示したり、あるいはプレビュー動画をモバイル機器に転送して表示させることが可能な映像コンテンツ選択装置及び映像コンテンツ選択方法を提供することを目的とする。
【課題を解決するための手段】
【００１０】
上記問題点を解決するために、本発明の映像コンテンツ選択装置は、放送経由で映像コンテンツを受信する少なくとも１以上の選局回路と、蓄積メディアに記録された映像コンテンツを再生する蓄積メディア再生部と、インターネット経由で映像コンテンツを取得するイーサ制御回路と、選局回路、蓄積メディア再生部またはイーサ制御回路から入力された映像コンテンツからサムネイルを生成させるとともにプレビュー動画を生成させる制御部と、カテゴリ選択バー及びコンテンツ選択バーからなる映像コンテンツ選択画面を表示する表示部と、を備え、カテゴリ選択バーは、放送経由、蓄積メディア及びインターネット経由で取得された映像コンテンツをシームレスにジャンルまたはキーワードで分類した複数のアイコンから構成され、コンテンツ選択バーは、アイコンが示すカテゴリに属する少なくとも１以上の映像コンテンツをサムネイルで表示し、制御部は、コンテンツ選択バーにおいて所定の映像コンテンツを選択フォーカスした場合、サムネイルの表示に替えてプレビュー動画を表示部に表示させる、ことを特徴とする。
【発明の効果】
【００１１】
本発明によれば、サムネイルが的確に映像コンテンツを表現していない場合でも、選択フォーカスするとサムネイルからプレビュー動画に表示が変わることで、選択しようとしている映像コンテンツに切替する前に映像コンテンツの内容をより的確に把握することができる。
【００１２】
また、映像コンテンツの形態やソースによらずシームレスにジャンル分けしてカテゴリ化することで、何度も形態の切り替えやソースの切り替えを行うことなく、お好みのジャンルのコンテンツの中から視聴したい映像コンテンツを探すことができる。
【００１３】
更に、モバイル機器側の表示画面でプレビュー動画を見ることにより、テレビジョン画面の視聴距離によらず選択すべき映像コンテンツを見やすく確認することができる。
【図面の簡単な説明】
【００１４】
【図１】本発明の実施の形態１における映像コンテンツ選択装置の構成を示すブロック図
【図２】本発明の実施の形態１における映像コンテンツ選択装置の表示画面の例を示す図
【図３】本発明の実施の形態１における映像コンテンツ選択装置の動作を示すフローチャート
【図４】本発明の実施の形態２における映像コンテンツ選択装置の構成を示すブロック図
【図５】従来の記録再生装置の表示画面の例を示す図
【発明を実施するための形態】
【００１５】
本発明は、映像コンテンツを選択するために、カテゴリを表すアイコンや映像コンテンツを代表するサムネイルを画面に並べて表示する際、選択フォーカス中の映像コンテンツは静止画のサムネイルではなく、映像コンテンツのプレビュー動画を再生するようにし、より的確に映像コンテンツを選択できるようにすること、および映像コンテンツの形態やソースによらずシームレスにジャンル分けしてカテゴリ化するようにして、何度もコンテンツ形態やソースの切替を行うことなく、お好みのジャンルの映像コンテンツの中から視聴したい映像コンテンツを探すことができることが最も主要な本発明の特徴である。以下本発明を実施するための形態について、図面を参照しながら説明する。
【００１６】
（実施の形態１）
図１は、本発明の実施の形態１における映像コンテンツ選択装置の構成を示すブロック図である。映像コンテンツ選択装置１００は、受信放送電波から特定のチャンネルを選局して映像信号や音声信号を得る選局回路Ａ１０１と選局回路Ｂ１０２、テレビジョン放送を録画した映像コンテンツや蓄積メディアに含まれる映像コンテンツを再生する蓄積メディア再生部１０３、インターネット経由で映像コンテンツを取得するためのイーサ制御回路１０４、リモコンからのキー入力の受信や本体ボタン入力の受信を行うキー入力回路１１１、ＣＰＵ１１２（制御部）、ＧＵＩを表示するＯＳＤ作成回路１１３、デジタル映像ストリームからデコードした映像信号を得るＡＶデコーダＡ１１４とＡＶデコーダＢ１１５、映像信号の調整を行う映像信号処理回路１２１、表示デバイス駆動回路１２２、映像やＧＵＩを表示する表示部１２３で構成されている。そして、映像コンテンツ選択装置１００には、放送電波を受信する放送受信アンテナ１５０、外部ＩＰネットワーク１５１が接続されている。
【００１７】
選局回路Ａ１０１は、放送受信アンテナ１５０から受けた受信放送電波を増幅及び検波し、デジタルＡＶストリームをＡＶデコーダＡ１１４に出力する。ＡＶデコーダＡ１１４は、選局回路Ａ１０１から入力されたデジタルＡＶストリームをデコードし、映像信号を映像信号処理回路１２１に出力する。なお、ＡＶデコーダＡ１１４ではデジタルＡＶストリームをデコードすることにより音声信号も得られるが、ここでは説明を省略する。
【００１８】
選局回路Ｂ１０２は、放送受信アンテナ１５０から受けた受信放送電波を増幅及び検波し、デジタルＡＶストリームをＡＶデコーダＢ１１５に出力する。ＡＶデコーダＢ１１５は、選局回路Ｂ１０２、蓄積メディア再生部１０３およびイーサ制御回路１０４から入力されるデジタルＡＶストリームをデコードし、映像信号を映像信号処理回路１２１に出力する。なお、ＡＶデコーダＡ１１４ではデジタルＡＶストリームをデコードすることにより音声信号も得られるが、ここでは説明を省略する。
【００１９】
蓄積メディア再生部１０３は、例えば、映像コンテンツ選択装置１００に内蔵されたＨＤＤ（ハードディスクドライブ）の再生制御部であって、蓄積メディアファイルからデジタルＡＶストリームを得てＡＶデコーダＢ１１５に出力する。
【００２０】
イーサ制御回路１０４は、外部ＩＰネットワーク１５１からネットワーク上の映像コンテンツ等を取得し、デジタルＡＶストリームをＡＶデコーダＢ１１５に出力する。
【００２１】
キー入力回路１１１は、ユーザが押下したリモコンのキー入力の受信や、ユーザが押下した本体ボタンのキー入力などを受けて、いずれのキー入力がなされたかをＣＰＵ１１２に出力する。
【００２２】
ＣＰＵ１１２は、キー入力回路１１１からのユーザのキー入力を受けて、選局回路Ａ１０１を制御して、放送受信アンテナ１５０で受信した受信放送電波から任意のチャンネルを選局させる。また、ＣＰＵ１１２は、映像信号処理回路１２１を制御し、選局されたチャンネルの映像コンテンツを表示デバイス駆動回路１２２に出力させて、ユーザの意図する映像ソースを表示部１２３に表示させる。さらに、ＣＰＵ１１２は、任意の文字や図形を表示部１２３に表示させるように、ＯＳＤ作成回路１１３を制御する。
【００２３】
ＯＳＤ作成回路１１３は、ＣＰＵ１１２からの指示を受けて、カテゴリを表すアイコンを表示したり、映像コンテンツを表すサムネイルを表示するためのＲＧＢ信号を発生させ、映像信号処理回路１２１へ出力する。
【００２４】
映像信号処理回路１２１は、ＡＶデコーダＡ１１４、ＡＶデコーダＢ１１５から受けた映像信号を調整したり、ＯＳＤ作成回路１１３から送られるアイコンやサムネイルを表すＲＧＢ信号を受けて映像コンテンツに重畳したりして、表示デバイス駆動回路１２２に調整されたＲＧＢ合成後の映像信号を出力する。
【００２５】
表示デバイス駆動回路１２２は、映像信号処理回路１２１から受けた調整されたＲＧＢ合成後の映像信号を表示部１２３の形態に合わせて増幅して表示部１２３に出力する。
【００２６】
表示部１２３は、表示デバイス駆動回路１２２から入力した映像信号を表示するプラズマディスプレイや液晶ディスプレイなどの薄型表示デバイスである。
【００２７】
放送受信アンテナ１５０は、アナログの地上波または衛星放送、或いは、デジタルの地上波または衛星放送などの放送電波の受信を行い、選局回路Ａ１０１および選局回路Ｂ１０２に受信信号を受信放送電波として出力する。
【００２８】
次に、表示部１２３に表示されるＧＵＩについて説明する。図２は本発明の実施の形態１における映像コンテンツ選択装置１００の表示画面（映像コンテンツ選択画面）の例を示す図である。
【００２９】
表示画面２００に対し、カテゴリ選択バー２１０は、映像コンテンツをその形態やソースによらずに分類したカテゴリを表すアイコン２１１乃至アイコン２１４を縦方向に並べている。最下部のアイコン２１１は現在選択中のカテゴリを表す。コンテンツ選択バー２２０は、選択中のカテゴリに属する映像コンテンツを代表するサムネイル２２１乃至サムネイル２２６を横方向に並べている。そして、現在の選択フォーカス２３０が指し示すサムネイルに対応付けられたプレビュー動画２２３が表示画面２００上に再生表示される。プレビュー動画２２３は、映像コンテンツの所定時間範囲（例えば、１０秒）の動画である。ここで、映像コンテンツを代表するサムネイル２２１乃至サムネイル２２６には、映像コンテンツの形態やソースにはよらずカテゴライズされた映像コンテンツがシームレスに並ぶ。
【００３０】
以上のように、構成された映像コンテンツ選択装置１００の動作を説明する。図３は、本発明の実施の形態１における映像コンテンツ選択装置の動作を示すフローチャートである。
【００３１】
ＣＰＵ１１２は、キー入力回路１１１からの入力によってＧＵＩ表示ボタンの押下を検出すると（ステップＳ３０１）、ＯＳＤ作成回路１１３を制御してカテゴリ選択バー２１０を表示部１２３に表示させる（ステップＳ３０２）。このとき、現在選択中のカテゴリアイコン２１１は、画面の下端に表示される。次に、ＣＰＵ１１２は、選択中のカテゴリに属する映像コンテンツを検索し、どのソース上の映像コンテンツかを検出する（ステップＳ３０３）。検出されたソースによって処理が分かれ（ステップＳ３０４）、テレビジョン放送の場合には（ステップＳ３０４で「放送」）、選択フォーカス以外の映像コンテンツであれば選局回路Ｂ１０２によって生成されたサムネイルを表示し、選択フォーカス中の映像コンテンツであれば選局回路Ｂ１０２で選局されたチャンネルのプレビュー動画が表示される（ステップＳ３０５）。ソースが外部ＩＰネットワーク１５１の場合には（ステップＳ３０４で「インターネット」）、選択フォーカス以外の映像コンテンツであれば生成またはコンテンツプロバイダから取得したサムネイルを表示し、選択フォーカス中の映像コンテンツであればプレビュー動画を表示する（ステップＳ３０６）。ソースが蓄積メディアの場合には（ステップＳ３０３で「蓄積メディア」）、選択フォーカス以外の映像コンテンツであればＡＶデコーダＢ１１５で作成したサムネイルを表示し、選択フォーカス中の映像コンテンツであればプレビュー動画を表示する（ステップＳ３０７）。
【００３２】
なお、上記説明では、サムネイルが選択フォーカスされるとすぐにプレビュー動画表示に切り替えているが、選択フォーカスして更に決定操作を行なった場合にプレビュー動画を再生表示するようにしてもよい。
【００３３】
かかる構成によれば、選択フォーカス中の映像コンテンツを表すサムネイルの代わりにプレビュー動画を表示することができる。また、映像コンテンツの形態やソースによらずシームレスにジャンル分けしてカテゴリ化することができる。
【００３４】
（実施の形態２）
図４は、本発明の実施の形態２における映像コンテンツ選択装置の構成を示すブロック図である。映像コンテンツ選択装置４００は、受信放送電波から特定のチャンネルを選局して映像信号や音声信号を得る選局回路Ａ４０１と選局回路Ｂ４０２、テレビジョン放送を録画した映像コンテンツや蓄積メディアに含まれる映像コンテンツを再生する蓄積メディア再生部４０３、インターネット経由で映像コンテンツを取得するためのイーサ制御回路４０４、ＣＰＵ４１１（制御部）、ＧＵＩを表示するＯＳＤ作成回路４１２、デジタル映像ストリームからでコードした映像信号を得るＡＶデコーダＡ４１３とＡＶデコーダＢ４１４、ＡＶデコーダＢ４１４から映像信号を受けて無線信号としてモバイル機器４３０に送信する無線通信回路４１５、映像信号の調整を行う映像信号処理回路４２１、表示デバイス駆動回路４２２、映像やＧＵＩを表示する表示部４２３で構成されている。そして、映像コンテンツ選択装置４００には、放送電波を受信する放送受信アンテナ４５０、外部ＩＰネットワーク４５１が接続されている。また、モバイル機器４３０は、無線通信回路４１５から無線信号で受信したプレビュー動画を表示できる表示画面４３１を備える。
【００３５】
選局回路Ａ４０１は、放送受信アンテナ４５０から受けた受信放送電波を増幅及び検波し、デジタルＡＶストリームをＡＶデコーダＡ４１３に出力する。ＡＶデコーダＡ４１３は、選局回路Ａ４０１から入力されたデジタルＡＶストリームをデコードし、映像信号を映像信号処理回路４２１に出力する。なお、ＡＶデコーダＡ４１３ではデジタルＡＶストリームをデコードすることにより音声信号も得られるが、ここでは説明を省略する。
【００３６】
選局回路Ｂ４０２は、放送受信アンテナ４５０から受けた受信放送電波を増幅及び検波し、デジタルＡＶストリームをＡＶデコーダＢ４１４に出力する。ＡＶデコーダＢ４１４は、選局回路Ｂ４０２、蓄積メディア再生部４０３およびイーサ制御回路４０４から入力されるデジタルＡＶストリームをデコードし、映像信号を映像信号処理回路４２１に出力する。なお、ＡＶデコーダＢ４１４ではデジタルＡＶストリームをデコードすることにより音声信号も得られるが、ここでは説明を省略する。
【００３７】
蓄積メディア再生部４０３は、例えば、映像コンテンツ選択装置４００に内蔵されたＨＤＤ（ハードディスクドライブ）の再生制御部であって、蓄積メディアファイルからデジタルＡＶストリームを得てＡＶデコーダＢ４１４に出力する。
【００３８】
イーサ制御回路４０４は、外部ＩＰネットワーク４５１からネットワーク上の映像コンテンツ等を取得し、デジタルＡＶストリームをＡＶデコーダＢ４１４に出力する。
【００３９】
ＣＰＵ４１１は、モバイル機器４３０からの操作入力を無線通信回路４１５から受けて選局回路Ａ４０１を制御して、放送受信アンテナ４５０で受信した受信放送電波から任意のチャンネルを選局させる。また、ＣＰＵ４１１は、映像信号処理回路４２１を制御し、選局されたチャンネルの映像を表示デバイス駆動回路４２２に出力させて、ユーザの意図する映像ソースを表示部４２３に表示させる。さらに、ＣＰＵ４１１は、任意の文字や図形を表示部４２３に表示させるように、ＯＳＤ作成回路４１２を制御する。
【００４０】
ＯＳＤ作成回路４１２は、ＣＰＵ４１１からの指示を受けて、カテゴリを表すアイコンを表示したり、映像コンテンツを表すサムネイルを表示するためのＲＧＢ信号を発生させ、映像信号処理回路４２１へ出力する。
【００４１】
映像信号処理回路４２１は、ＡＶデコーダＡ４１３、ＡＶデコーダＢ４１４から受けた映像信号を調整したり、ＯＳＤ作成回路４１２から送られるアイコンやサムネイルを表すＲＧＢ信号を受けて映像コンテンツに重畳したりして、表示デバイス駆動回路４２２に調整されたＲＧＢ合成後の映像信号を出力する。
【００４２】
表示デバイス駆動回路４２２は、映像信号処理回路４２１から受けた調整されたＲＧＢ合成後の映像信号を表示部４２３の形態に合わせて増幅して表示部４２３に出力する。
【００４３】
表示部４２３は、表示デバイス駆動回路４２２から入力した映像信号を表示するプラズマディスプレイや液晶ディスプレイなどの薄型表示デバイスである。
【００４４】
放送受信アンテナ４５０は、アナログの地上波または衛星放送、或いは、デジタルの地上波または衛星放送などの放送電波の受信を行い、選局回路Ａ４０１および選局回路Ｂ４０２に受信信号を受信放送電波として出力する。
【００４５】
以上のように構成された映像コンテンツ選択装置４００の動作を本発明の実施の形態１との差分で説明する。ＧＵＩの表示操作の入力はモバイル機器４３０から行い、無線信号にて無線通信回路４１５で受信され、ＣＰＵ４１１に入力される。そして、選択フォーカス２３０によって表されるプレビュー動画２２３は、表示画面２００上に表示されるだけではなく、無線通信回路４１５によってモバイル機器４３０に送信され、表示画面４３１上にも表示される。
【００４６】
本実施の形態によれば、ユーザの手元にあるモバイル機器４３０でプレビュー動画２２３を確認することができるので、ユーザと映像コンテンツ選択装置４００の視聴距離によらず選択すべき映像コンテンツを容易に確認することができる。
【産業上の利用可能性】
【００４７】
本発明によれば、サムネイルが的確に映像コンテンツを表現していない場合でも、選択フォーカスするとサムネイルからプレビュー動画に表示が変わることで、選択しようとしている映像コンテンツに切替する前に映像コンテンツの内容をより的確に把握することができるため、シームレスに複数の映像コンテンツを取得して再生可能な全てのＡＶ機器で有用である。
【符号の説明】
【００４８】
１００、４００    映像コンテンツ選択装置
１０１、４０１    選局回路Ａ
１０２、４０２    選局回路Ｂ
１０３、４０３    蓄積メディア再生部
１０４、４０４    イーサ制御回路
１１１    キー入力回路
１１２、４１１    ＣＰＵ
１１３、４１２    ＯＳＤ作成回路
１１４、４１３    ＡＶデコーダＡ
１１５、４１４    ＡＶデコーダＢ
１２１、４２１    映像信号処理回路
１２２、４２２    表示デバイス駆動回路
１２３、４２３    表示部
１５０、４５０    放送受信アンテナ
１５１、４５１    外部ＩＰネットワーク
４１５    無線通信回路
４３０    モバイル機器
２００、４３１    表示画面
【図１】
2013026700.tif 000003
【図２】
2013026700.tif 000004
【図３】
2013026700.tif 000005
【図４】
2013026700.tif 000006
【図５】
2013026700.tif 000007